(57)【特許請求の範囲】
【請求項１】
基地局と移動機との間の無線信号を可変増幅して中継する無線中継増幅システムであって、
前記移動機から前記基地局への上り無線信号と前記基地局から前記移動機への下り無線信号とについてそれぞれ増幅動作を行う増幅手段と、前記無線信号の電力レベルを検出する検出手段と、前記検出手段によって検出された前記上り無線信号と前記下り無線信号とのうちの少なくとも一方の電力レベルが第１の閾値を超えた場合に前記増幅手段の電源はオンのままとし、前記増幅手段による前記上り無線信号の増幅動作及び前記下り無線信号の増幅動作の両方を停止させる制御を行う制御手段とを含み、パイロット信号を用いることなく、前記基地局と前記移動機との間における前記無線信号の中継を実現する無線中継増幅装置と、
前記無線中継増幅装置の設置場所とは遠隔の場所に設置され、前記無線信号の電力レベルが前記閾値を超えた場合に前記増幅動作を制御する監視装置とを含み、
前記監視装置は、前記増幅動作を停止させた後、前記第１の閾値に応じてアッテネータ量を調整して前記増幅動作を継続させることを特徴とする無線中継増幅システム。
【請求項２】
前記無線中継増幅装置は、前記検出手段によって検出された電力レベルが前記第１の閾値を超えている時間を計時するタイマを更に含み、前記タイマによる計時時間経過後に前記増幅動作を停止させることを特徴とする請求項１記載の無線中継増幅システム。
【請求項３】
前記無線中継増幅装置の前記制御手段は、前記第１の閾値の他に、前記無線信号が過出力とならないように入力を抑えるための第２の閾値を有することを特徴とする請求項１又は請求項２に記載の無線中継増幅システム。
【請求項４】
基地局と移動機との間の無線信号を可変増幅して中継する無線中継方法であって、前記移動機から前記基地局への上り無線信号と前記基地局から前記移動機への下り無線信号とについてそれぞれ増幅手段による増幅動作を行う増幅ステップと、前記無線信号の電力レベルを検出する検出ステップと、前記検出ステップにおいて検出された前記上り無線信号と前記下り無線信号とのうちの少なくとも一方の電力レベルが第１の閾値を超えた場合に前記増幅手段の電源はオンのままとし、前記増幅手段による前記上り無線信号の増幅動作及び前記下り無線信号の増幅動作の両方を停止させた後、前記第１の閾値に応じてアッテネータ量を調整して前記増幅動作を継続させる制御を行う制御ステップとを含み、パイロット信号を用いることなく、前記基地局と前記移動機との間における前記無線信号の中継を実現することを特徴とする無線中継方法。
【発明の詳細な説明】
【技術分野】
【０００１】
本発明は無線中継増幅装置、無線中継増幅システム、無線中継方法に関し、特に基地局と移動機との間で送受信されるべき信号を受信し、増幅し、送信するブースタやリピーター等の無線中継増幅装置、無線中継増幅システム、及びそれによって実現される無線中継方法に関する。
【背景技術】
【０００２】
屋内及び屋外の弱電界エリア対策のために用いられる従来の無線中継増幅装置について、図８を用いて説明する。同図（ａ）のように弱電界ビルの屋内や、同図（ａ）のように屋外の弱電界エリアに移動機１１５が存在している場合、基地局１１４と移動機１１５と間の通信が困難となる。そこで、基地局１１４から送信された下り信号及び移動機１１５から送信された上り信号を直接増幅して再放射するブースタとして機能する無線中継増幅装置１００を設置し、基地局１１４と移動機１１５との間の通信を確保している。
【０００３】
このとき下り信号及び上り信号の利得については、上下エリアのバランスをとるために同じ値に設定する必要がある。
通常無線中継増幅装置へ入力される上り信号及び下り信号のレベルが大きすぎると、無線中継増幅装置の出力が過出力となり無線中継増幅装置の無線特性が劣化する恐れがある。従って、無線中継増幅装置を適用する場合は過出力とならないように、無線中継増幅装置の利得を最適に設定する。無線中継増幅装置の利得設定方法は、手動で最適に設定する方法と、無線中継増幅装置で受信される信号の大きさに応じて自動で設定される方法がある。これらの方法により、無線中継増幅装置の出力が最適になるように設計されている。
【０００４】
ところで、ブースタの利得を調整して、ブースタの雑音が基地局に大きな影響を与えないようにする技術が特許文献１に記載されている。また、中継増幅器の入力レベルが閾値を超えた場合に、ピークホールド回路によって連続的なアラーム信号を出力する技術が特許文献２に記載されている。さらに、必要な送信信号レベルに応じて可変利得駆動増幅段の信号利得を制御する技術が特許文献３に記載されている。電力増幅器から出力される高周波信号の一部を検波して、アッテネータ部の減衰率を制御する技術が特許文献４に記載されている。
【０００５】
【特許文献１】特開２００１−６９０９１号公報
【特許文献２】特開平１０−３０３８００号公報
【特許文献３】特開２００１−１５６６５４号公報
【特許文献４】特開２０００−１３２４８号公報
【発明の開示】
【発明が解決しようとする課題】
【０００６】
上記のように利得を設定し出力を調整した場合においても、無線中継増幅装置の近傍に基地局が新設されたなど伝搬状況が変化して無線中継増幅装置に入力される基地局からの信号が大きくなった場合は、無線中継増幅装置が過出力となり、スプリアス等が発生し無線特性が劣化する。また、基地局で受信される無線中継増幅装置の雑音も同様に大きくなるため、基地局の加入者容量が劣化する。
【０００７】
この場合、利得が固定されている無線中継増幅装置（以下、固定利得無線中継増幅装置と呼ぶ）については、一度運用断としてアッテネータを挿入するなど出力を再調整する必要がある。一方、自動利得制御機能が付与された無線中継増幅装置の場合は利得を下げて自動調整することができる。しかし、最低利得時に過出力となる場合は、固定利得無線中継増幅装置と同様に一度運用断としてアッテネータを挿入するなど無線中継増幅装置出力の再調整が必要となる。
【０００８】
本発明は上述した従来技術の問題点を解決するためになされたものであり、その目的は無線中継増幅装置の出力が過出力となる場合に、基地局で受信される無線中継増幅装置の雑音を適切に抑制できる無線中継増幅装置、無線中継増幅システム、無線中継方法を提供することである。
【課題を解決するための手段】
【０００９】
本発明の一態様による無線中継増幅システムは、基地局と移動機との間の無線信号を可変増幅して中継する無線中継増幅システムであって、前記移動機から前記基地局への上り無線信号と前記基地局から前記移動機への下り無線信号とについてそれぞれ増幅動作を行う増幅手段と、前記無線信号の電力レベルを検出する検出手段と、前記検出手段によって検出された前記上り無線信号と前記下り無線信号とのうちの少なくとも一方の電力レベルが第１の閾値を超えた場合に前記増幅手段の電源はオンのままとし、前記増幅手段による前記上り無線信号の増幅動作及び前記下り無線信号の増幅動作の両方を停止させる制御を行う制御手段とを含み、パイロット信号を用いることなく、前記基地局と前記移動機との間における前記無線信号の中継を実現する無線中継増幅装置と、
前記無線中継増幅装置の設置場所とは遠隔の場所に設置され、前記無線信号の電力レベルが前記閾値を超えた場合に前記増幅動作を制御する監視装置とを含み、
前記監視装置は、前記増幅動作を停止させた後、前記第１の閾値に応じてアッテネータ量を調整して前記増幅動作を継続させることを特徴とする。電力レベルが閾値を超えた場合に自装置の増幅動作を自動的に停止させることにより、その後にアッテネータ量を調整して増幅動作を再開させることができ、無線中継増幅装置の雑音を適切に抑制できる。つまり、上り無線信号と下り無線信号との一方が過大出力になった場合に増幅動作を即座に停止させることができ、その後にアッテネータ量を調整して増幅動作を再開させれば、無線中継増幅装置の雑音を適切に抑制できる。なお、このようなシステム構成を採用することにより、無線中継増幅装置の設置場所へ行くことなく無線中継増幅装置の再調整が可能となる。
【００１０】
本発明の他の態様による無線中継増幅システムは、前記検出手段によって検出された電力レベルが前記第１の閾値を超えている時間を計時するタイマを更に含み、前記タイマによる計時時間経過後に前記増幅動作を停止させることを特徴とする。こうすることにより、過大入力許容時間を経過した場合にのみ、増幅動作を停止させることができる。
【００１２】
本発明の他の態様による無線中継増幅システムは、前記無線中継増幅装置の前記制御手段が、前記第１の閾値の他に、前記無線信号が過出力とならないように入力を抑えるための第２の閾値を有することを特徴とする。閾値を２つもつことで無線中継増幅装置周辺の伝搬環境の変化に柔軟に対応し、無線中継増幅装置の出力停止後に２つの過出力閾値の差分をもとに出力調整を行うことで、無線中継増幅装置の運用断による再調整の必要がなくなる。
【００１５】
本発明の一態様による無線中継方法は、基地局と移動機との間の無線信号を可変増幅して中継する無線中継方法であって、前記移動機から前記基地局への上り無線信号と前記基地局から前記移動機への下り無線信号とについてそれぞれ増幅手段による増幅動作を行う増幅ステップと、前記無線信号の電力レベルを検出する検出ステップと、前記検出ステップにおいて検出された前記上り無線信号と前記下り無線信号とのうちの少なくとも一方の電力レベルが第１の閾値を超えた場合に前記増幅手段の電源はオンのままとし、前記増幅手段による前記上り無線信号の増幅動作及び前記下り無線信号の増幅動作の両方を停止させた後、前記第１の閾値に応じてアッテネータ量を調整して前記増幅動作を継続させる制御を行う制御ステップとを含み、パイロット信号を用いることなく、前記基地局と前記移動機との間における前記無線信号の中継を実現することを特徴とする。電力レベルが閾値を超えた場合に自装置の増幅動作を自動的に停止させることにより、その後にアッテネータ量を調整して増幅動作を再開させることができ、無線中継増幅装置の雑音を適切に抑制できる。
【発明の効果】
【００１６】
本発明によれば、無線中継増幅装置の出力が過出力となる場合に、無線中継増幅装置の出力閾値により出力を停止にすることにより、無線中継増幅装置の無線特性劣化（スプリアスやＩＭ（Intermodulation）等）を防ぎ、基地局で受信される無線中継増幅装置の雑音を抑制できるという効果がある。
さらに、過出力の閾値を２つもつことで無線中継増幅装置周辺の伝搬環境の変化に柔軟に対応し、無線中継増幅装置の出力停止後に２つの過出力閾値の差分をもとに出力調整を行うことで、無線中継増幅装置の運用断による再調整の必要がなくなるという効果がある。
【発明を実施するための最良の形態】
【００１７】
以下、本発明の実施の形態を、図面を参照して説明する。なお、以下の説明において参照する各図では、他の図と同等部分は同一符号によって示されている。
（無線中継増幅装置の構成）
図１は、本発明の実施形態に係る無線中継増幅装置の構成例を示す図である。同図において、本実施形態に係る無線中継増幅装置４は、共用器６、１２と、入力信号を停止し自装置の出力を停止する入力制御器７、１３と、受信信号を分配する分配器８、１４と、受信信号についての増幅動作を行う増幅器９、１５、受信信号の電力レベルを検出する検波器１０、１６と、検波器１０、１６によって検出された電力レベルを閾値レベルと比較する比較器１１と、比較器１１による比較結果が閾値レベルを超えている時間すなわち過大入力許容時間を計時するためのタイマ２０とを含んで構成されている。
【００１８】
このような構成において、無線中継増幅装置４は、基地局１、２、３等から移動機１８等への下り信号をアンテナ５で受信し、入力制御器７、分配器８を介して増幅器９に入力して増幅し、送信する。また、無線中継増幅装置４は、移動機１８等から基地局１、２、３等への上り信号をアンテナ１７で受信し、入力制御器１３、分配器１４を介して増幅器１５に入力して増幅し、送信する。すなわち、基地局１、２、３等が送信した信号を受信し、受信した信号を増幅し、増幅した信号を移動機１８等へ送信する。また、移動機１８等が送信した信号を受信し、受信した信号を増幅し、増幅した信号を基地局１、２、３等へ送信する。
【００１９】
（下り信号に関する動作）
基地局１、２、３等が送信した信号（下り信号）は、アンテナ５、共用器６、入力制御器７、分配器８を通して増幅器９及び検波器１０へ入力される。増幅器９にて増幅された下り信号は、共用器１２及びアンテナ１７を介して移動機１８等へ送信される。また、検波器１０により検波された下り入力信号は、比較器１１へ入力され、検波された値と無線中継増幅装置の下り入力閾値とが比較される。
【００２０】
比較器１１には２つの下り過入力閾値が設定されている。比較器１１は、低い値の下り過入力閾値（下り過入力閾値（１））を超える下り入力信号があった場合は、監視装置１９にアラームを送信する。さらに、入力制御器７により、下り入力信号を下り入力閾値（１）までアッテネータ等により下げる。このときのアッテネータ量をＡＴＴ（１）DLとする。
【００２１】
また、比較器１１に高い値の下り過入力閾値（下り過入力閾値（２））を超える下り入力信号があった場合は、比較器１１は、監視装置１９にアラームを送信する。さらに、入力制御器７により、下り入力信号を下り過入力閾値（１）までアッテネータ等により下げる。このときのアッテネータ量をＡＴＴ（２）DLとする。
さらに比較器１１は、下り過入力閾値（２）を超える下り入力信号があった場合、タイマを起動し、入力信号が下り過入力閾値（１）となっている時間測定を開始する。さらに、入力制御器７は、タイマによる過入力許容時間を超えて継続して下り信号入力が下り過入力閾値（１）であった場合、増幅器９への入力信号を停止し無線中継増幅装置の出力を停止する。
【００２２】
また、タイマは、過入力許容時間内に下り入力信号が下り過入力閾値（１）を下回った場合、停止状態になる。これにより、時間測定が停止される。入力制御器７は下り検波信号が最大出力値以下となった場合も、継続して出力を停止する。このようにして無線中継増幅装置の出力停止状態となった場合、監視装置１９は入力制御器のアッテネータ量を調整し、無線中継増幅装置の出力停止状態を解除する。
【００２３】
監視装置１９が調整するアッテネータ量を以下に説明する。下り入力閾値（１）を超えた場合のアッテネータ量をＡＴＴ（１）DL、下り入力閾値（２）を超えた場合のアッテネータ量をＡＴＴ（２）DL、無線中継装置停止後に調整するアッテネータ量をＡＴＴ（３）DL、下り過入力閾値（２）と下り過入力閾値（１）の差分の量を（閾値マージン）をαDL、過入力防止マージンをβDLとすると、
βDL＝ＡＴＴ（２）DL−αDL
ＡＴＴ（３）DL＝ＡＴＴ（１）DL＋ＡＴＴ（２）DL＋βDL
ＡＴＴ（３）DL＝ＡＴＴ（１）DL＋２・ＡＴＴ（２）DL−αDL
とする。
【００２４】
（上り信号に関する動作）
移動機１８等が送信した信号（上り信号）は、アンテナ１７、共用器６、入力制御器１３、分配器１４を通して増幅器１５及び検波器１４へ入力される。増幅器１５にて増幅された上り信号は、共用器６及びアンテナ５を介して基地局１、２、３等へ送信される。また、検波器１６により検波された上り入力信号は、比較器１１へ入力され、検波された値と無線中継増幅装置の上り入力閾値とが比較される。
【００２５】
比較器１１には２つの上り過入力閾値が設定されている。比較器１１は、低い値の上り過入力閾値（上り過入力閾値（１））を超える上り入力信号があった場合は、監視装置１９にアラームを送信し、入力制御器１３は上り入力信号を上り入力閾値（１）までアッテネータ等により下げる。このときのアッテネータ量をＡＴＴ（１）ULとする。また、比較器１１に高い値の上り過入力閾値（上り過入力閾値（２））を超える上り入力信号があった場合は、比較器１１は、監視装置１９にアラームを送信し、上り入力信号を上り過入力閾値（１）までアッテネータ等により下げる。このときのアッテネータ量をＡＴＴ（２）ULとする。
【００２６】
さらに比較器１１は、上り過入力閾値（２）を超える上り入力信号があった場合、タイマを起動し入力信号が上り過入力閾値（１）となっている時間測定を開始する。さらに、入力制御器１３は、過入力許容時間を超えて継続して上り信号入力が上り過入力閾値（１）であった場合、増幅器１５への入力信号を停止し無線中継増幅装置の出力を停止する。またタイマは、過入力許容時間内に上り入力信号が上り過入力閾値（１）を下回った場合、時間測定を停止する。入力制御器１３は上り最大出力値以下となった場合も、継続して出力を停止する。このようにして無線中継増幅装置の出力停止状態となった場合、監視装置１９は入力制御器のアッテネータ量を調整し、無線中継増幅装置の出力停止状態を解除する。
【００２７】
監視装置１９が調整するアッテネータ量を以下に説明する。上り入力閾値（１）を超えた場合のアッテネータ量をＡＴＴ（１）UL、上り入力閾値（２）を超えた場合のアッテネータ量をＡＴＴ（２）UL、無線中継装置停止後に調整するアッテネータ量をＡＴＴ（３）UL、上り過入力閾値（２）と上り過入力閾値（１）の差分の量を（閾値マージン）をαUL、過入力防止マージンをβULとすると、
βUL＝ＡＴＴ（２）UL−αUL
ＡＴＴ（３）UL＝ＡＴＴ（１）UL＋ＡＴＴ（２）UL＋βUL
ＡＴＴ（３）UL＝ＡＴＴ（１）UL＋２・ＡＴＴ（２）UL−αUL
とする。
以上、本発明の実施形態を説明したが、下りと上りの無線中継増幅装置の出力については同時に実施されるものであり、下りの入力制御及び出力停止動作の場合は上りも同様に動作し、上りの入力制御及び出力停止動作の場合は下りも同様に動作する。
【００２８】
（動作例）
以下、本装置の動作例について、図２〜図７を参照して説明する。
最初に、図２を参照して、無線中継増幅装置下り入力信号（１）について説明する。無線中継増幅装置が電源ＯＦＦから電源ＯＮになることにより、基地局Ａからの受信信号を受信する（Ｓ１０１）。ここで、無線中継増幅装置運用中に無線中継増幅装置の近傍に基地局Ｂが新設されると（Ｓ１０２）、無線中継増幅装置において基地局Ａの信号に基地局Ｂの信号が相加される（Ｓ１０３）。基地局Ｂは無線中継増幅装置の近傍にあるため、無線中継増幅装置の下り入力信号は大きくなる。さらに無線中継増幅装置の直近に基地局Ｃが新設されると（Ｓ１０４）、無線中継増幅装置において、基地局Ａ，Ｂの信号に基地局Ｃの信号が相加される（Ｓ１０５）。
【００２９】
この場合の無線中継増幅装置内下り入力信号（２）は、図３に示されているようになる。すなわち、基地局Ｂ設置時（Ｓ１０２）に、下り過入力閾値（１）を超える入力レベルを検出し（Ｓ１０３）、入力制御器１３が動作し入力レベルを下り過入力閾値（１）まで下げ（Ｓ２０１）、監視装置へアラームを送信する。次に、基地局Ｃ設置時（Ｓ１０４）に、下り過入力閾値（２）を超える入力レベルを検出し（Ｓ１０５）、入力制御器１３が動作し入力レベルを下り過入力閾値（２）まで下げ（Ｓ２０２）、タイマを起動し、監視装置へアラームを送信する。
【００３０】
さらに過入力許容時間経過後、入力制御器により入力をＯＦＦにする（Ｓ２０３）。その後、監視装置によりアッテネータ量を調整して、入力をＯＮにする（Ｓ２０４）。
結果的に、この場合の無線中継増幅装置下り出力信号（３）は、図４に示されているように、下り入力信号（２）のレベルに無線中継増幅装置の利得Ｇが相加された出力レベルとなるため、下り過出力閾値（１）（すなわち、下り過入力閾値（１）＋無線中継増幅装置利得Ｇ）以下のレベルとなる。
【００３１】
ところで、図５を参照すると、基地局Ａで受信される無線中継増幅装置の雑音（４）は、熱雑音と、無線中継増幅装置利得Ｇと、アッテネータ量と、基地局Ａと無線中継増幅装置との間の伝搬損失とが相加されたものになる。
また、図６を参照すると、基地局Ｂで受信される無線中継増幅装置の雑音（５）は、熱雑音と、無線中継増幅装置利得Ｇと、アッテネータ量と、基地局Ｂと無線中継増幅装置との間の伝搬損失とが相加されたものになる。
【００３２】
さらに、図７を参照すると、基地局Ｃで受信される無線中継増幅装置の雑音（６）は、熱雑音と、無線中継増幅装置利得Ｇと、アッテネータ量と、基地局Ｃと無線中継増幅装置との間の伝搬損失とが相加されたものになる。
従って、無線中継装置の入力レベルに応じて過出力とならないようにアッテネータ量を調整する本無線中継増幅装置は、基地局で受信される無線中継増幅装置雑音が低減されるため基地局の容量劣化を抑制する効果がある。この容量劣化抑制の効果は、文献「屋内エリア用ＩＭＴ−２０００ブースタ装置」（ＲＣＳ２００５−５２（２００５−７））に記載されている。
【００３３】
さらに、無線中継増幅装置の出力がＯＦＦとなった場合、監視装置１９によりアッテネータを調整し無線中継増幅装置４の出力ＯＦＦを解除することにより、無線中継増幅装置の設置場所へ行くことなく無線中継増幅装置の再調整が可能となる。
以上、図２〜図７を参照して、本無線中継増幅装置の下り信号の出力制御について説明したが、上り信号の制御についても下り信号の場合と同様であり、無線中継増幅装置近傍の移動機の信号が本装置に入力された場合に出力制御が行われる。その詳細な説明は省略する。
【００３４】
（無線中継方法）
以上説明した無線中継増幅装置においては、以下のような無線中継方法が実現されている。すなわち、基地局と移動機との間の無線信号を可変増幅して中継する無線中継方法であり、前記移動機から前記基地局への上り無線信号と前記基地局から前記移動機への下り無線信号とについてそれぞれ増幅手段による増幅動作を行う増幅ステップと、前記無線信号の電力レベルを検出する検出ステップと、前記検出ステップにおいて検出された前記上り無線信号と前記下り無線信号とのうちの少なくとも一方の電力レベルが第１の閾値を超えた場合に前記増幅手段の電源はオンのままとし、前記増幅手段による前記上り無線信号の増幅動作及び前記下り無線信号の増幅動作の両方を停止させた後、前記第１の閾値に応じてアッテネータ量を調整して前記増幅動作を継続させる制御を行う制御ステップとを含み、パイロット信号を用いることなく、前記基地局と前記移動機との間における前記無線信号の中継を実現する無線中継方法が実現されている。電力レベルが第１の閾値を超えた場合に自装置の増幅動作を自動的に停止させることにより、その後にアッテネータ量を調整して増幅動作を再開させることができ、無線中継増幅装置の雑音を適切に抑制できる。
【００３５】
（まとめ）
無線中継増幅装置は入力信号を増幅し基地局及び移動局へ再送信するが、入力信号が過入力となった場合、スプリアスやＩＭが発生し無線特性が劣化する。また下り回線で過入力となった場合は、上り回線において基地局で受信される無線中継増幅装置の熱雑音が大きくなるため、基地局加入者容量劣化につながる。無線中継増幅装置は低コストでエリア拡大できるというメリットがある反面、その設置によって基地局側の回線容量を劣化させるという問題があるため利用が制限されている。
【００３６】
しかし、通信キャリアを変更しても電話番号が変更されずに維持されるナンバーポータビリティ導入以降は、通信キャリア同士における競争、特に回線品質やエリアの大きさに関する競争が厳しくなり、地下街やルーラルエリアで無線中継増幅装置の利用が増えることが予想される。本無線中継増幅装置は、無線中継増幅装置の出力が過出力となる場合に無線中継増幅装置の出力閾値により出力をＯＦＦにすることにより、無線中継増幅装置の無線特性劣化(スプリアスやＩＭ等)を防ぎ、基地局で受信される無線中継増幅装置の雑音が抑制される。さらに、過入力の閾値を２つもつことで無線中継増幅装置周辺の伝搬環境の変化に柔軟に対応し、さらに監視装置から無線中継増幅装置の出力調整を行うことで、無線中継増幅装置の運用断による再調整の必要がなくなる。
【産業上の利用可能性】
【００３７】
本発明は、基地局と移動機との間で送受信されるべき信号を受信し、増幅し、送信するブースタやリピーター等に利用することができる。
【図面の簡単な説明】
【００３８】
【図１】本発明の実施の形態に係る無線中継増幅装置の構成例を示す図である。
【図２】無線中継増幅装置下り入力信号（１）の変化例を示す図である。
【図３】無線中継増幅装置下り入力信号（２）の変化例を示す図である。
【図４】無線中継増幅装置下り入力信号（３）の変化例を示す図である。
【図５】図１中の基地局Ａの受信無線中継増幅装置雑音（４）の変化例を示す図である。
【図６】図１中の基地局Ｂの受信無線中継増幅装置雑音（４）の変化例を示す図である。
【図７】図１中の基地局Ｃの受信無線中継増幅装置雑音（４）の変化例を示す図である。
【図８】屋内及び屋外の弱電界エリア対策のために用いられる従来の無線中継装置を示す図である。
【符号の説明】
【００３９】
１〜３、１１４  基地局
４、１００  無線中継増幅装置
５、１７  アンテナ
６、１２  共用器
７、１３  入力制御器
８、１４  分配器
９、１５  増幅器
１０、１６  検波器
１１  比較器
１８  移動機、１１５
１９  監視装置
２０  タイマ
【図１】
0004847785.tif 000002
【図２】
0004847785.tif 000003
【図３】
0004847785.tif 000004
【図４】
0004847785.tif 000005
【図５】
0004847785.tif 000006
【図６】
0004847785.tif 000007
【図７】
0004847785.tif 000008
【図８】
0004847785.tif 000009